(57)【要約】【課題】シンプルで美観に優れつつ機能的にも優れた椅子を提供する。【解決手段】椅子は、ベース５に固定された左右のフロントフレーム６とリアフレーム７とを有している。座１は、その前部を支点にして少なくとも後傾動するようにフロントフレーム６に取付けられている。背もたれ２は、その下端部を支点にして後傾動するようにリアフレーム７に取付けられている。フロントフレーム６とリアフレーム７とは、座１の下方においてベース５に向けて対角方向に収束しており、座１の下方には、フロントフレーム６及びリアフレーム７を除いて空間が存在するだけである。従って、構造はシンプルでスッキリとしたデザインになっている。座１及び背もたれ２は後傾可能であるため、ユーザーフレンドリーである。【選択図】図１
2020000727.tif 000002
【特許請求の範囲】
【請求項１】
脚の上端に設けたベースとその上方に配置された座、及び前記座の後ろ上方に配置された背もたれを備えており、前記座と背もたれとは互いに分離している構成であって、
前記ベースに、前記座のうち前後中間位置よりも前の部位の下面に向けて突出したフロントフレームと、前記背もたれに向けて突出したリアフレームとを設けており、
前記フロントフレームの上端に、前記座が、少なくとも後傾し得るように取付けられており、前記座とベースとの間は部材が存在しない空間になっている一方、
前記リアフレームの上端に、前記背もたれが取付けられている、
椅子。
【請求項２】
前記リアフレームの上端に、前記背もたれが、上下中間高さ位置よりも下方の部位を支点にして後傾し得るように取付けられている、
請求項１に記載した椅子。
【請求項３】
前記フロントフレームとリアフレームとは左右２本ずつ配置されており、これらフロントフレームとリアフレームとが、正面視と側面視とで互いの間隔を広げるように傾斜した姿勢で前記ベースから上向きに延びている、
請求項１又は２に記載した椅子。
【請求項４】
前記フロントフレームは左右一対配置されており、前記フロントフレームの上端に設けた前後長手の受け部に、前記座が弾性体に抗して後傾動及び前傾動し得るように取付けられている、
請求項１〜３のうちのいずれかに記載した椅子。
【請求項５】
前記リアフレームは左右一対配置されていて、左右リアフレームの上端部が、前記背もたれの下部の外側面に重なっている、
請求項１〜４のうちのいずれかに記載した椅子。
【請求項６】
前記フロントフレームとリアフレームとは、前記ベースとは別体の部材として構成されており、前記フロントフレームの基部とリアフレームの基部とは、前記ベースの上において互いに当接又は密接しており、前記ベースが、前記フロントフレームの基部とリアフレームの基部とで上から覆われている、
請求項１〜５のうちのいずれかに記載した椅子。
【発明の詳細な説明】
【技術分野】
【０００１】
本願発明は、可動式の座及び背もたれを備えた椅子に関するものである。
【背景技術】
【０００２】
椅子において、背もたれがばね手段に抗して後傾するものは広く使用されている。また、座がばね手段に抗して後傾又は前傾する椅子も、広く知られている。このような可動式の背もたれ及び座を有する椅子において、背もたれの後傾構造や座の傾動構造は多種多様であるが、背もたれの後傾動と座の後傾動等とを連動させていることが多いと云える。
【０００３】
その例として特許文献１〜３には、座を、その前端部を支点に後傾するようにベースに連結すると共に、座の後端部に背もたれを後傾可能に連結することが開示されている。また、特許文献３には、座と背もたれとを、別々のフレームでベースに取り付けることが開示されている。
【先行技術文献】
【特許文献】
【０００４】
【特許文献１】特許第５０６２６１４号公報
【特許文献２】特許第５５７６１８７号公報
【特許文献３】特許第５５７６７９８号公報
【特許文献４】意匠登録第１１６７８７４号公報
【発明の概要】
【発明が解決しようとする課題】
【０００５】
さて、椅子においては、座り心地や安楽性、身体の安定性、執務のし易さなど、使用者の身体との関係で機能（感覚的な機能）が求められていると共に、堅牢性や見た目の良さも求められる。見た目の良さについては、装飾美や機能美、シンプルさなどの様々な視点があるが、特に、メカニカルな機構部を目立たなくすると、美観の面からの評価は高くなるといえる。
【０００６】
そこで、まず機能面で各特許文献を観察すると、使用者の身体の動きに追従して背もたれや座とが傾動すると、使用者へのフィット性は高くなって好適であるが、特許文献１〜３は座と背もたれとが一体に繋がっているため、使用者の身体の動きに対する追従性が十分でないおそれがある。
【０００７】
また、特許文献１〜３は、座の下方が大きな空間になり過ぎていて、デザイン的に前後のバランスが良くないともいえるし、背もたれが座に連結されていると、背もたれに作用した荷重も座の前端の連結部にモーメントとして作用するため、強度面での不安感も残るおそれがある。
【０００８】
他方、特許文献４は、座と背もたれとが別々のフレームで支持されているため、前後のバランスは一応採られているといえるが、背もたれが取り付くリアフレームは下方に大きく曲がっていため、デザイン的に違和感を与える可能性が高いといえる。
【０００９】
本願発明はこのような現状を改善すべく成されたものであり、シンプルな外観でしかも機能的にも優れた椅子を提供せんとするものである。
【課題を解決するための手段】
【００１０】
本願発明は様々な構成を含んでおり、その典型を各請求項で特定している。このうち請求項１の発明は、
「脚の上端に設けたベースとその上方に配置された座、及び前記座の後ろ上方に配置された背もたれを備えており、前記座と背もたれとは互いに分離している構成であって、
前記ベースに、前記座のうち前後中間位置よりも前の部位の下面に向けて突出したフロントフレームと、前記背もたれに向けて突出したリアフレームとを設けており、
前記フロントフレームの上端に、前記座が、少なくとも後傾し得るように取付けられており、前記座とベースとの間は部材が存在しない空間になっている一方、
前記リアフレームの上端に、前記背もたれが取付けられている」
というものである。
【００１１】
この場合、座の後傾態様には、全体が後傾する場合と、例えば後半部のような後ろ側の一部が後傾する場合との両方が含まれる。また、後傾を許容する構造としては、ピンなどで連結して弾性手段に抗して後傾する場合と、座を構成する部材（例えば座板・インナーシェル）が弾性変形して後傾する場合との両方を含んでいる。
【００１２】
請求項２の発明は請求項１を具体化したものであり、
「前記リアフレームの上端に、前記背もたれが、上下中間高さ位置よりも下方の部位を支点にして後傾し得るように取付けられている」
という構成になっている。
【００１３】
請求項３の発明は、請求項１又は２において、
「前記フロントフレームとリアフレームとは左右２本ずつ配置されており、これらフロントフレームとリアフレームとが、正面視と側面視とで互いの間隔を広げるように傾斜した姿勢で前記ベースから上向きに延びている」
という構成になっている。すなわち、請求項３では、４本のフレームがベースから対角方向に傾斜姿勢で立ち上がっている。なお、フロントフレームにしてもリアフレームにしても、対角方向に立ち上がってから途中で姿勢を変えてもよい。
【００１４】
請求項４の発明は、請求項１〜３のうちのいずれかにおいて、
「前記フロントフレームは左右一対配置されており、前記フロントフレームの上端に設けた前後長手の受け部に、前記座が弾性体に抗して後傾動及び前傾動し得るように取付けられている」
という構成になっている。
【００１５】
請求項５の発明は、請求項１〜４のうちのいずれかにおいて、
「前記リアフレームは左右一対配置されていて、左右リアフレームの上端部が、前記背もたれの下部の外側面に重なっている」
という構成になっている。
【００１６】
請求項６の発明は、請求項１〜５のうちのいずれかにおいて、
「前記フロントフレームとリアフレームとは、前記ベースとは別体の部材として構成されており、前記フロントフレームの基部とリアフレームの基部とは、前記ベースの上において互いに当接又は密接しており、前記ベースが、前記フロントフレームの基部とリアフレームの基部とで上から覆われている」
という構成になっている。
【発明の効果】
【００１７】
本願発明は、フロントフレームとリアフレームとがベースから突出していて、座はフロントフレームに取り付いて、背もたれはリアフレームに取り付いたものであり、全体としてシンプルでスッキリしつつ、フロントフレームとリアフレームとが前後にあって、前後のバランスが採れている。従って、安定感に優れたシンプルなデザインとして、看者へのデザイン的訴求効果に優れていて高い商業的価値を有しているといえる。
【００１８】
更に述べると、座とベースとの間の空間が周囲から視認できるため、いわば、座を空間で支えているかのような見え方をして、斬新なデザインになっているといえる。しかも、背もたれはリアフレームで支持されているため、背もたれに掛かった荷重がフロントフレームに作用することはなくて、堅牢性に優れている。
【００１９】
更に、座と背もたれとが別々に分離しているため、使用者の動きや体重に対する座の追従性が高くて、座り心地にも優れている。また、座の回動支点は前後中間位置よりも手前側にずれているため、座に深く腰掛けると座は後傾しやすくなっている。従って、座が後傾する特性を活かして、高いクッション性を確保できる。
【００２０】
請求項２では、背もたれも後傾してロッキング機能を有するため、使い心地は更に向上する。特に、背もたれと座とが別々に後傾し得るため、使用者の身体へのフィット性を高めして快適な使用感を得ることができる。また、本願発明の背もたれは、リアフレームは後傾せずに、背もたれだけが後傾する。従って、使用者の上半身が後ろに大きく移動することはない。このため、会議室用椅子のように、前後に並べて使用する場合に好適である。
【００２１】
フロントフレーム及びリアフレームとも、左右中間部に１本ずつ配置することも可能であるが、この場合は、シンプルさを保持するためにフロントフレーム及びリアフレームの左右幅を細くすると、人によっては、安定性や強度が低いかのような印象を受けるおそれがある。
【００２２】
これに対して、請求項３では、座と背もたれとは左右２本ずつのフレームで支持されているため、フロントフレーム及びリアフレームをできるだけ細くしつつ、座や背もたれを安定的に支持できるが、４本のフレームが傾斜姿勢で座の対角方向に立ち上がっているため、ベースは必要最小限度の大きさに保持できる。従って、座の下方において、４本のフレームがベースに向けて収束するような態様になっていて、ムダを省いたすっきりしたデザインになっていると共に、安定性に優れた外観を呈している。このため、商品価値の向上に貢献している。
【００２３】
請求項４の構成では、座は前後長手の受け部で支持されているため、座がフロントフレーム６の上端から後ろ向きに大きくオーバーハングした状態であっても、座を安定的に支持することができる。また、座は前傾動もするため、使用者の身体へのフィット性・追従性を高めて、使い心地を更に向上できる。
【００２４】
請求項５では、リアフレームが背もたれの後ろにはみ出ないため、椅子の背面部がスッキリとして、美観を向上できる。また、例えば背もたれの後面に設けたブラケットをリアフレームに連結すると、背もたれは全体として上昇しながら後傾することになり、このため、使用者の背中と背もたれとの間に滑りが生じて使用者が違和感を持つことが有り得るが、請求項５では、背もたれは単に後傾するに過ぎないため、使用者の背中と背もたれとの間に滑りが生じることはなくて、使用者に違和感を与えることはない。従って、使い心地がよい。
【００２５】
フロントフレームとリアフレームとを単一の部材として構成したり、ベースとフロントフレームとリアフレームとを一体化したりすることも可能ではあるが、この場合は、部材が大型化して製造が面倒になる。従って、請求項６のように、ベースとフロントフレームとリアフレームとを別部材で構成すると、部材の製造が容易になって現実性に優れている。
【００２６】
そして、請求項６では、ベースはフロントフレーム及びリアフレームで隠れていて視認できないため、恰もベースが存在しないかのような外観を呈しており、その結果、シンプル性を高めて美観を向上できる。また、フロントフレームの基部とリアフレームの基部とは広い面積でベースに重ねることができるため、固定強度にも優れている。
【図面の簡単な説明】
【００２７】
【図１】実施形態の外観図で、（Ａ）は肘掛けを設けた状態での斜視図、（Ｂ）は肘掛けを設けていない状態での斜視図、（Ｃ）は背面斜視図、（Ｄ）は座を分離した状態の斜視図である。
【図２】（Ａ）は平面図、（Ｂ）は側面図、（Ｃ）は正面図、（Ｄ）は背面図である。
【図３】（Ａ）は分離斜視図、（Ｂ）は座を下方から見た斜視図、（Ｃ）は底面図である。
【図４】フレームの取付け構造を示す図で、（Ａ）はひっくり返した状態での分離斜視図、（Ｂ）は上から見た分離斜視図である。
【図５】ベースとフレームとの関係を示す分離斜視図である。
【図６】座の取付け構造を示す分離斜視図である。
【図７】（Ａ）は座の支持手段を示す分離斜視図、（Ｂ）は傾動ユニットの斜視図である。
【図８】（Ａ）は図６の VIII-VIII視方向から見た断面図、（Ｂ）は座用傾動ユニットの正面図である。である。
【図９】（Ａ）は背もたれの一部破断斜視図、（Ｂ）は表皮材を取り外して背もたれを後ろから見た一部破断斜視図、（Ｃ）は背もたれの部分的な分離正面図である。
【図１０】背もたれの回動支持手段を示す図で、（Ａ）は前から見た分離斜視図、（Ｂ）はばねユニットの分離斜視図である。
【図１１】背もたれの回動支持手段を示す分離斜視図、（Ｂ）（Ｃ）は、リアフレームとカバーとの関係を示す分離斜視図である。
【図１２】（Ａ）は図９（Ｃ）の XII-XII視方向から見た縦断側面図、（Ｂ）（Ｃ）は背用傾動ユニットの斜視図である。
【発明を実施するための形態】
【００２８】
(1).概要
次に、本願発明の実施形態を説明する。本願発明は、オフィス等で使用されている回転椅子に適用している。まず、図１〜３を参照して、椅子の概要を説明する。椅子は、座１と背もたれ２と脚装置３とを備えている。脚装置３は、５本の枝杆とガスシリンダよりなる脚支柱４とを備えており、各枝杆の先端にキャスタを設けている一方、脚支柱４の上端にベース５を嵌着している。脚支柱４は、座１の前後中間点よりも少し後ろに配置されている。例えば図３（Ｂ）に示すように、座１を高さ調節するためのレバー５ａは、ベース５の下方に配置されている。
【００２９】
ベース５は平面視四角形（横長長方形) のブロック状の形態であり、ベース５に、左右のフロントフレーム６と左右のリアフレーム７とを固定して、フロントフレーム６に座１を前後傾動可能に取付けて、リアフレーム７に背もたれ２を後傾動可能に取り付けている。図１（Ａ）、図２（Ｃ）に示すように、リアフレーム７７の上端部には肘掛け８を取り付けることができる。図３（Ｃ）の底面図では、肘掛け８を片側だけに取付けた状態を表示している。例えば図３（Ｂ）に示すように、座の高さを調節するためのレバー９は、ベース５の下方から横向きに延ばしている。
【００３０】
図２（Ｂ）（Ｃ）に明示するように、左右のリアフレーム７は、側面視では上に行くに従って前にずれるように傾斜しており、正面視では、上に行くに従って互いの間隔が広がるように傾斜している。フロントフレーム６が前傾しているのは、ベース５が、必要最小限度の前後幅で足りると共に座１の前後中間点よりもやや後ろに配置されてきることを前提にして、座１のうち前端寄りの部位をフロントフレーム６に取り付けているからである。
【００３１】
また、フロントフレーム６が正面視で外向きに傾斜しているのは、ベース５は必要最小限度の大きさで足りる一方、座１を安定的に支持するには左右フロントフレーム６の上端間の間隔にある程度の寸法があるからである。
【００３２】
リアフレーム７は、図２（Ｂ）に明示するように、側面視では、ベース５から後傾姿勢で立ち上がって、概ね座１の高さ位置で前傾姿勢に変わるように屈曲したく字形になっており、正面視では、図２（Ｄ）に明示するように、概ね座１の高さまでは上に向けて外広がりに傾斜して、概ね座１よりも上の範囲ではほぼ直立している。
【００３３】
リアフレーム７の上部は背もたれ２の下部の左右外側に位置しており、背もたれ２は、その下部を支点にして後傾動するようにリアフレーム７の上端部に取付けられている。従って、背もたれ２の回動支点（回動中心）は背もたれ２の肉厚部内に位置している。
【００３４】
ベース５は平面視で座１よりも遥かに小さくて座１の前後中途部の下方に配置されていることから、フロントフレーム６及びリアフレーム７の下半部は、図２（Ｄ）及び図３（Ｃ）に示すように、いわば対角方向に向けて広がるように、正面視及び側面視で傾斜している。換言すると、フロントフレーム６とリアフレーム７とは、平面視四角形のベース５のコーナー部から略対角方向に傾斜姿勢で立ち上がっている。更に換言すると、４本のフレーム６，７が、座１の下方においてベース５に向けて収束するような外観を呈している。
【００３５】
左右のフロントフレーム６はアルミダイキャスト品又は樹脂成型品であり、平面視略角形（横長長方形）のフロント基体６ａが一体に形成されている。他方、左右のリアフレーム７は互いに分離しており、それぞれ平面視略四角形のリア基体７ａが一体に形成されている。そして、左右のリア基体７ａは左右に連続するように重なって、左右のリア基体７ａとフロント基体６ａとは前後に重なるように重なっている。
【００３６】
従って、フロント基体６ａと左右のリア基体７ａとの三者は全体として１つの部材を成すかのように重なっており、この三者によってベース５がすっぽりと覆われている。従って、２本のフロントフレーム６と２本のリアフレーム７とは、平面視略四角形の基部から対角方向に傾斜姿勢で立ち上がったような外観を呈しており、ベース５は、椅子をひっくり返さないと視認できない状態になっている。
【００３７】
(2).外観に現れているデザイン的効果
このように、フロントフレーム６及びリアフレーム７は人目に触れるし、また、両者の６ａ，７ａも特にバックビューにおいて人目に触れるが、基体６ａ，７ａは座１との間にはフレーム６，７の他には部材は存在しておらずに空間が存在するだけであるため、ごくシンプルなデザインになっている。
【００３８】
また、フロントフレーム６及びリアフレーム７は全体として対角方向に広がるように傾斜しているため、座１や背もたれ２がしっかりと支えられる状態になっている。従って、看者は、シンプルでありながら高い安定性というイメージを看取することができる。別の見方をすると、４本のフレーム６，７が座１の対角方向からベース５に向けて収束しているため、座１及び背もたれ２の支持機能は確保しつつ無駄を無くしたような外観を呈しており、機能と美観との両方において優れたデザインになっているといえる。
【００３９】
背もたれ２は座１とは分離しており、背もたれ２の下端と座面との間には若干の間隔が空いている。そして、背もたれ２は、ニュートラル状態で全体として少し後傾しているが、着座者の腰が当たる部分が最も前に出るように下部は前向き凸状に湾曲しており、ロッキングの回動支点は、最も前に出ている部分の高さに位置している。
【００４０】
また、リアフレーム７の上半部は側面視で直立姿勢に形成することも可能であるが、背もたれ２の下部は側面視で曲がっていて、曲がりの頂点よりも下方の部位は前傾姿勢になっているため、リアフレーム７の上半部を実施形態のように前傾させると、例えば図１（Ｂ）や図２（Ｂ）、図３（Ａ）から理解できるように、リアフレーム７の上部が背もたれ２の下端部の外側面に略同じ姿勢で重なった状態になるため、姿勢の統一感が出てスッキリとした美的効果が発揮されている。
【００４１】
(3).フレームの取付け構造
以下、各部の詳細を説明する。まず、ベース５に対するフロントフレーム６及びリアフレーム７の取付け構造を、主として図４，５を参照して説明する。
【００４２】
ベース５はアルミダイキャスト品であって左右横長手のブロック状の形態を成しており、中央部に、脚支柱４の上端部が嵌着する中心穴１０を空けている。ベース５の上面のうち前側の部位には、左右一対のフロント凹部１１が形成されて、後ろ側の部位にはリア凹部１２が形成されている。なお、ベース５には、肉厚の均等化や材料節約のために多数の上向き溝が形成されている（ベース５の内部に多数のリブが形成されていると見ることもできる。）。
【００４３】
フロント凹部１１及びリア凹部１２は平面視四角形に形成されている。また、フロント凹部１１はベース５の前面に切り開かれていて、リア凹部１２はベース５で囲われている。また、フロント凹部１１はベース５の左右外面よりも少し内側に位置しているが、リア凹部１２はベース５の左右側部に寄せて配置されている。
【００４４】
フロントフレーム６におけるフロント基体６ａの下面には、ベース５のフロント凹部１１にきっちり嵌合するフロント凸部１３が形成されており、フロント凹部１１及びフロント凸部１３の箇所で、フロントフレーム６がベース５にフロントボルト１４で固定されている。同様に、リアフレーム７のリア基体７ａに、ベース５のリア凹部１２にきっちり嵌合するリア凸部１５が形成されており、リア凹部１２及びリア凸部１５の箇所で、左右のリアフレーム７がそれぞれリアボルト１７によってベース５に固定されている。
【００４５】
フロント基体６ａ及びリア基体７ａには、ボルト１４，１７が挿通される取付け穴１８が空いているが、取付け穴１８には、ボルト１４，１７の頭が隠れる座繰り穴を設けている。
【００４６】
リア基体７ａは、ベース５の上面に対しては、左右側部と後部とに僅かに重なるようにっており、かつ、ベース５の後ろに位置した部分と、ベース５の左右外側に位置した部分とを有している。従って、リア基体７ａは平面視でＬ形に形成されており、その内角部にリア凸部１５が形成されている。
【００４７】
一方、フロント基体６ａには、左右のリアフレーム７で囲われた空間を覆う後ろ向き庇板１９を形成しており、リア凸部１５は後ろ向き庇板１９で覆われている。従って、リアボルト１７は外部から視認できず、また、リアボルト１７の頭も取付け穴１８の内部に入り込んでいるため、殆ど視認し難い。
【００４８】
このような配慮により、フロントフレーム６とベース５とが一体成型品であるかのような外観を呈して、シンプルな美観の形成に貢献している。また、フロントフレーム６と左右のリア基体７ａとはそれぞれ別部材であるため、製造のための金型をできるだけ小さくできる。このため、製造は容易である。リアフレーム７を左右に分離しているのは、リアフレーム７はフロントフレーム６に比べて高さが高くて、一体成型すると金型が相当に大型化するためである。リア基体７ａには、フロント基体６ａの後ろ向き庇板１９が載る受け片２０を形成している。
【００４９】
なお、フロントフレーム６は、椅子の方向を基準にして述べると、上下方向に相対動する主成型型を備えた金型装置で製造されて、リアフレーム７は、左右方向又は前後方向に相対動する主成型型を備えた金型装置で製造される。図４（Ａ）から理解できるように、フロントフレーム６はベース５の前面よりも手前に張り出しており、この前向き張り出し部の下面に、軽量化や肉厚均等化のための逃がし凹所２１を形成している。
【００５０】
ベース５の凹部１１，１２とフレーム６，７の凸部１３，１５とは四角形に形成されて互いに嵌合しているため、ベース５とフレーム６，７との横ずれが防止されているが、実施形態では、この他にも、リアフレーム７同士の一体性や、フレーム６，７とベース５との一体性等を向上させるための連結手段を講じている。この点を説明する。
【００５１】
まず、左右のリアフレーム７の連結関係であるが、例えば図４（Ａ）のとおり、左右のリア基体７ａのうち一方のリアフレーム７の後部に係合突起２２を横向きに突設して、他方のリア基体７ａに、係合突起２２がきっちり嵌合する横向き開口の係合穴２３を形成している。これら係合突起２２と係合穴２３との嵌まり合いにより、左右のリアフレーム７の一体性を向上できる。係合突起２２と係合穴２３とは側面視で略三角形になっているが、四角形や円形などの、様々な形態を採用できる。
【００５２】
次に、リアフレーム７とベース５との関係であるが、例えば図４（Ｂ）のとおり、ベース５の前部の左右側面に円形のサイドボス２４を横向きに突設している一方、リア基体７ａにおいてベース５の外側面に重なる部分の前部に、サイドボス２４に嵌合するサイド係合溝２５を形成している。これにより、リア基体７ａとベース５との一体性が向上する。
【００５３】
また、ベース５とリアフレーム７との一体性向上の手段として、例えば図４（Ａ）に  示すように、フロントフレーム６における後ろ向き庇板１９の後端から平面視四角形の係合片２６を突設している一方、リアフレーム７のリア基体７ａには、係合片２６が上から嵌まる係合段部２６を形成している。係合片２６と係合段部２６とは、フロントフレーム６とリアフレーム７との左右位置を正確に規定する位置決め手段としても機能している。
【００５４】
(4).座の取付け構造
次に、フロントフレーム６に対する座１取付け構造を、主として図６〜８を参照して説明する。例えば図７（Ａ）に示すように、フロントフレーム６の上端は前後長手の受け部２９になっており、この受け部２９に、前後長手の座用傾動ユニット３０を介して座１が前後傾動可能に取付けられている。
【００５５】
例えば図６に明示するように、座用傾動ユニット３０は、前後に長い上下のブラケット３１，３２と、両者の間に配置された前後一対の弾性体３３とを主要部材としている。下ブラケット３２は左右の側板３２ａを有して、正面視で上向き開口コ字形の形態を成しており、フロントフレーム６の受け部２９に形成された上向き開口の凹所に横ずれ不能に嵌まっている。
【００５６】
図３（Ａ）に示すように、座１は、合成樹脂製の座インナーシェル３４にクッション材３４ａを重ね配置した構造になっており、例えば図７（Ａ）に明示するように、座インナーシェル３４の左右両側部に、前後長手で下向きに開口した凹溝３５が形成されており、この凹溝３５に、座用傾動ユニット３０を構成する上ブラケット３１が嵌め込まれている。
【００５７】
上ブラケット３１も左右の側板３１ａを有する下向き開口コ字型の形態であり、図７（Ｂ）から理解できるように、上ブラケット３１で下ブラケット３２が覆われている。上ブラケット３１及び凹溝３５は、下ブラケット３２の手前に少しはみ出て、後ろには大きくはみ出ており、上ブラケット３１は概ね下ブラケット３２の２倍程度の長さになっている。これは、座インナーシェル３４が樹脂製であることを考慮して、必要な支持強度を確保するためである。上ブラケット３１及び凹溝３５の後ろ半部は細くなっているが、これは、細くしても必要な強度は確保できるためである。
【００５８】
図８（Ａ）に示すように、上ブラケット３１は前後の上ビス３６で座インナーシェル３４に固定されている一方、下ブラケット３３は、前部に位置した下ビス３７でフロントフレーム６の受け部２９に固定されている。例えば図８（Ａ）に示すように、座インナーシェル３４には、上ビス３６がねじ込まれるＴ形ナット３６ａを配置している。従って、座インナーシェル３４が樹脂製であっても、高い締結強度を確保できる。
【００５９】
また、図７（Ｂ）に示すように、下ブラケット３２の後端に係合片３２ｂを形成し、この係合片３２ｂを、図８（Ａ）に示すように、受け部２９の後端部に形成した位置決め溝３８に手前から差し込んでいる。従って、下ブラケット３２は、その後端は位置決め溝３８によって上下動不能に保持されており、その結果、下ブラケット３２は１本の下ビス３７のみで受け部２９に離脱不能に保持されている。
【００６０】
上ブラケット３１と下ブラケット３２とは、左右長手のピン３９によって相対回動可能に連結されている。ピン３９は、ブッシュ３９ａ介して上下ブラケット３１，３２の側板３１ａ，３２ａを連結している。
【００６１】
そして、ピン３９を挟んだ前後両側に、樹脂系ゴム（チェラスト）から成る角形ブロック状の弾性体３３を配置している。図８（Ｂ）に明示するように、弾性体３３の左右側面と下ブラケット３２の側板３２ａとの間には空間が空いている。従って、弾性体３３は圧縮変形しても、その変形が下ブラケット３２の側板３２ａで規制されることはなくて、左右方向に自由に変形する。また、図８（Ａ）のとおり、弾性体３３の前後両方にも空間が空いている。従って、弾性体３３は前後方向にも自由に変形する。結局、弾性体３３は、全周に亙って自由に膨らみ変形する。
【００６２】
図６に示すように、弾性体３３には上下に開口した位置決め穴４０が空いており、図８（Ａ）のとおり、上ブラケット３１と下ブラケット３２とには、位置決め穴４０に嵌まるバーリング部４１を形成している。従って、弾性体３３は、その周囲を他の部材で規制されていない状態でも、前後左右のいずれの方向にもれずれ不能に保持されている。下ビス３７は、下ブラケット３２のバーリング部４１にねじ込んでいる。図８（Ｂ）において一点鎖線を表示しているが、これは弾性体４４の自由長を示している。従って、弾性体４４は、予め圧縮した状態で座用傾動ユニット３０にセットされている。
【００６３】
椅子の通常の使用状態では、着座した人の重心はピン３９よりも後ろにあるため、座１は後ろの弾性体３３に抗して後傾する。これにより、クッション性が付与される。後傾の度合いは着座した人の体重に比例するが、平均的な体重の人が着座すると後傾開始するように設定しておくことになる。最大構成角度は、上ブラケット３１の上板が下ブラケット３２の側板３３ａに当たることによって規制される。
【００６４】
人が座１の前端部にチョイ掛けしたり、背もたれ２に凭れかかりつつ身体を延ばしたりして、座１に対する押圧力がピン３９よりも前の部位に作用した場合は、座１は前部の弾性体３３に抗して前傾する。これにより、快適性を向上できる。図では、前後の弾性体３３を同じ大きさに描いているが、前部の弾性体３３を後部の弾性体３３よりも小径に設定して、座１が軽い力で前傾するように構成することも可能である。
【００６５】
図７（Ａ）から理解できるように、座インナーシェル３４における凹溝３５の内側面には、ピン３９の端部を逃がすための補助凹所３５ａを形成している。このため、上ブラケット３１を凹溝３５にきっちりと嵌め込んで、座用傾動ユニット３０の姿勢も正確に揃えることができる。その結果、左右の座用傾動ユニット３０のピン３９を同心に正確に配置できて、座１の傾動をこじれ無くスムースに行える。
【００６６】
なお、座１の後傾動及び前傾動に対して抵抗を付与する弾性手段としては、実施形態のようなゴム質ものには限らない。圧縮コイルばねやねじりばね、トーションバーなども採用できる。
【００６７】
(5).背もたれの取付け構造
次に、リアフレーム７に対する背もたれ２の取付け構造を、主として図９以下の図面を参照して説明する。図９（Ａ）に示すように、背もたれ２は、樹脂製の背インナーシェル４５の前面に背クッション４６を重ね配置した構造であり、背インナーシェル４５の左右側部が、背用傾動ユニット４７を介してリアフレーム７の上端部に後傾動可能に取付けられている。
【００６８】
例えば図１０に示すように、背用傾動ユニット４７は、背インナーシェル４５と一体に動くアウターケース４８と、アウターケース４８の内部に配置されていてリアフレーム７に固定されたインナーブラケット４９と、アウターケース４８の外側面に重ね配置されたサイドブラケット５０とを備えており、これらは、背インナーシェル４５の曲がりに合わせて、側面視で略く字形になっている。
【００６９】
背インナーシェル４５の屈曲部には、アウターケース４８が嵌まり込む凹所５１を形成している。また、サイドブラケット５０の下半部には外向き凸部５０ａが形成されており、図９（Ｃ）に示すように、サイドブラケット５０は、外向き凸部５０ａのみが背インナーシェル４５の外側にはみ出ており、外向き凸部５０ａがリアフレーム７に重なっている。
【００７０】
アウターケース４８とインナーブラケット４９とは、左右横長のピン５２によって連結されており、かつ、アウターケース４８とインナーブラケット４９との間には、ピン５２よりも上の位置においてばね５３が配置されている。アウターケース４８とインナーブラケット４９とは、ばね５３を位置決めするバーリング部５４が形成されている。アウターケース４８とインナーブラケット４９とは、それぞれ側板４８ａ，４９ａとを備えている。
【００７１】
図９（Ａ）や図１１（Ａ）に示すように、背インナーシェル４５の背面のうち屈曲部の箇所には、左右横長の補強板５５が重ね配置されており、図１２に示すように、補強板５５の端部と背インナーシェル４５とアウターケース４８の上部及び下部とが、ビス５６で共締めされている。背インナーシェル４５の背面には、補強板５５をずれ不能に保持する凹部５７が形成されており、補強板５５は、凹部５７に設けた位置決め突起５８（図９（Ａ）参照）によっても位置決めされている。
【００７２】
補強板５５の左右両端には、アウターケース４８の下端まで延びる下向き張り出し部が形成されており、下向き張り出し部がビス５６で共締めされている。着座した人が背もたれ２にもたれ掛かると、背もたれ２の下端部には大きなモーメントが掛かるが、補強板５５が存在するため、モーメントに抗する強度を確保できる。
【００７３】
例えば図１０（Ｂ）に示すように、アウターケース４８には、後ろ向きに開口した透かし穴５９が形成されており、既述のとおり、ビス５６による締結は、透かし穴５９を挟んだ上と下との上下２か所において行われている。ピン５２は、サイドブラケット５０における外向き凸部５０ａの外側にはみ出た露出部５２ａを備えており、この露出部５２ａが、リアフレーム７に形成した長溝穴６０に落とし込みによって嵌め込まれている。
【００７４】
既述のとおり，ピン５２は、インナーブラケット４９にも貫通している。そして、リアフレーム７のうち長溝穴６０よりも下方の部位に外側から横向きボルト６１が挿通されていて、横向きボルト６１が、インナーブラケット４９の内側板４９ａにねじ込まれている。従って、横向きボルト６１によって、インナーブラケット４９を前後不能に保持されている。
【００７５】
図１２（Ｂ）（Ｃ）から理解できるように、サイドブラケット５０の上端部と下端部とには、アウターケース４８に向けて突出した上下の係合爪６２が形成されている一方、アウターケース４８の外側の側板４８ａには、係合爪６２が係合する係合穴６３が形成されている。
【００７６】
従って、サイドブラケット５０はアウターケース４８と一体に回動する。そして、横向きボルト６１はサイドブラケット５０とアウターケース４８とに貫通しているので、サイドブラケット５０及びアウターケース４８が背もたれ２と一体に回動することを許容するため、サイドブラケット５０とアウターケース４８とには、ピン５２を曲率半径の中心とした円弧穴６４が空いている。
【００７７】
図１（Ａ）のとおり、リアフレーム７の上端部に肘掛け８を取り付けることができるが、肘掛け８を取付けていない状態では、例えば図１１に示すように、リアフレーム７の上部は上カバー６５で覆われている。上カバー６５の外面はその下方の部位と同一面になっている。従って、上カバー６５で覆われている部分は、その下方の部位から段落ちして少し細くなっている。
【００７８】
上カバー６５は、リアフレーム７を左右外側からすっぽり覆うように溝形になっている。そして、その上部の内面に、前後の横向き係合爪６６が固定されている一方、リアフレーム７の前後両面に、横向き係合爪６６が嵌まり係合する切り開き溝６７を形成している。前後の横向き係合爪６６は基端板６６ａを介して一体に繋がっており、基端板６６ａがビス６８（図１１（Ｃ）参照）によって上カバー６５の内面に固定されている。
【００７９】
他方、切り開き溝６７のうち背もたれ２に近い端部には、横向き係合爪６６の鉤部が嵌合する段部６７ａが形成されている。従って、上カバー６５は、外側からリアフレーム７に嵌め込んで押さえるだけで、リアフレーム７に脱落しないように取付けられる。
【００８０】
背用傾動ユニット４７は背もたれ２の内部に格納されているため、外部から背用傾動ユニット４７を視認することはできない。従って、背もたれ２が後傾するロッキング機能を有する椅子でありながら、シンプルな外観を実現できている。
【００８１】
また、背もたれ２は、最も前に出た部分（ランバーサポート部）においてリアフレーム７に連結されているため、ロッキングしても着座者と背もたれ２との間に滑りが発生することは殆どない。このため、違和感を無くして快適なロッキング状態を実現できる。実施形態のように、ピン５２を利用してインナーブラケット４９を回動不能に保持すると、構造を簡単化できる利点がある。ばね５３に代えて、ゴム質樹脂のような弾性体を使用することも可能である。
【００８２】
インナーブラケット４９の回動範囲はアウターケース４８の内部で規制されている。従って、背もたれ２の最大後傾姿勢とニュートラ姿勢とは、インナーブラケット４９とアウターケース４８とによって規定されている。
【００８３】
(6).その他
以上、本願発明の実施形態を説明したが、本願発明は他にも様々に具体化できる。例えば、本願発明の適用対象は回転椅子には限らず、会議用などに多用されている固定脚式椅子にも適用できる。また、図示は省略するが、フロントフレーム及びリアフレームとも、左右中間部に１本だけ配置することも可能である。
【００８４】
座及び背もたれの構造も、任意に設定できる。例えば、フレームにメッシュを張った構造も採用できる。フロントフレーム又はリアフレームにベースを一体に設けることも可能であるし、フロントフレームとリアフレームとベースとを一体品として製造することも可能である。または、左右のフロントフレームを別々に構成することも可能であるし、フロントフレーム及びリアフレームの基部をカバーで覆うことも可能である。
【産業上の利用可能性】
【００８５】
本願発明は、椅子に具体化できる。従って、産業上利用できる。
【符号の説明】
【００８６】
１  座
２  背もたれ
３  脚装置
５  ベース
６  フロントフレーム
６ａ  フロント基体
７  リアフレーム
７ａ  リアフレームの基体
２９  受け部
３０  座用傾動ユニット
３１  上ブラケット
３２  下ブラケット
３３  弾性体
４７  背用傾動ユニット
４８  アウターケース
４９  インナーブラケット
５０  サイドブラケット
５３  ばね
【図１】
2020000727.tif 000003
【図２】
2020000727.tif 000004
【図３】
2020000727.tif 000005
【図４】
2020000727.tif 000006
【図５】
2020000727.tif 000007
【図６】
2020000727.tif 000008
【図７】
2020000727.tif 000009
【図８】
2020000727.tif 000010
【図９】
2020000727.tif 000011
【図１０】
2020000727.tif 000012
【図１１】
2020000727.tif 000013
【図１２】
2020000727.tif 000014